(57)【要約】      （修正有）【課題】育苗箱を苗床から容易に剥がすことが可能で、育苗箱の剥がし作業時の体への負担を著しく軽減可能な育苗箱の剥がし装置を提供する。【解決手段】鍔部１８を備える側板を底板の周囲に立設させてなる育苗箱１２を苗床から剥がす育苗箱の剥がし装置において、左右一対の縦材３０、３０′と、縦材の下端側に設けられ、一対の縦材間を略水平方向に横架する横材３２と、横材の両端近傍にそれぞれ配置されるアーム部材であって、横材と略直交し、アーム部材の中途で横材に軸支されて上下方向に回動自在の回動アーム部材３４、３４′とを設ける。さらに、回動アーム部材間を横架する棒体３６であって、回動アーム部材の後端部に連結される横架棒体３６と、常時は回動アーム部材の先端部を縦材の略下端の高さに配置しつつ、先端部を下方に付勢する付勢手段４０と、回動アーム部材の先端部に連結されて鍔部１８に下方から係合させる係合部とを備える。【選択図】図１
0003170963.tif 000002
【実用新案登録請求の範囲】
【請求項１】
鍔部を備える側板を底板の周囲に立設させてなる育苗箱を、苗床から剥がす育苗箱の剥がし装置において、左右一対の縦材と、前記一対の縦材の下端側に設けられ、前記一対の縦材間を略水平方向に横架する横材と、前記横材の両端近傍にそれぞれ配置されるアーム部材であって、前記横材と略直交し、前記アーム部材の中途で前記横材に軸支されて上下方向に回動自在の回動アーム部材と、前記回動アーム部材間を横架する棒体であって、前記回動アーム部材の後端部に連結される横架棒体と、常時は前記回動アーム部材の先端部を前記縦材の略下端の高さに配置しつつ、前記先端部を下方に付勢する付勢手段と、前記先端部に連結されて前記鍔部に下方から係合させる係合部とを備え、前記一対の縦材を立設させつつ前記鍔部の下方に前記係合部を配置し、前記横架棒体を足で踏むことにより、前記係合部が前記鍔部を押し上げて前記育苗箱を苗床から剥がすことを特徴とする育苗箱の剥がし装置。
【請求項２】
前記回動アーム部材は、前記先端部から前記後端部に向かう中途から下方に折曲する折曲部を含み、全体がクランク状に形成されることを特徴とする請求項１に記載の育苗箱の剥がし装置。
【請求項３】
前記一対の縦材の上端間に横架され、手で把持可能な丸棒部材からなる把持部を備えることを特徴とする請求項１又は２に記載の育苗箱の剥がし装置。
【請求項４】
前記係合部は、前記先端部から前方に延設される爪部材からなることを特徴とする請求項１〜３のいずれかに記載の育苗箱の剥がし装置。
【請求項５】
前記鍔部の縁が下方に折曲した形状からなり、前記爪部材は、前記縁に係合する凹部を含むことを特徴とする請求項４に記載の育苗箱の剥がし装置。
【請求項６】
前記鍔部の縁が下方に折曲した形状からなり、前記係合部は、前記先端部近傍に配置されて前記先端部に連結される板体であって、その板面を前記回動アーム部材の先端に向けた状態で上下方向に揺動自在の揺動板体と、常時は、前記揺動板体を前記先端部の下方に配置しつつ、前記揺動板体の先端部を下方に付勢する第２付勢手段とを含み、前記揺動板体を前記縁と前記側板の間に食い込ませつつ前記鍔部を押し上げることを特徴とする請求項１〜３のいずれかに記載の育苗箱の剥がし装置。          
【考案の詳細な説明】
【技術分野】
【０００１】本考案は、育苗箱及びその育苗箱で育成された稲の苗を苗床から剥がす作業に用いられる育苗箱の剥がし装置に関する。
【背景技術】
【０００２】従来、田植えの際に植付ける稲の苗の育成は、培土を育苗箱に入れ、培土に種籾が撒かれ、このように準備された育苗箱をハウス内等の苗床に載置して行われる。そして、田植えに必要な程度に育成した頃、育苗箱ごと苗床から剥がして田んぼに運ぶ。【０００３】ところがこの育苗箱は、水はけを良くするために底板に複数の小さい穴が穿設されているので、育成中に苗がその穴から根を地中に伸ばして根を張る。そのため、培土で重くなった上に根を張った育苗箱を手で直接掴んで苗床から剥がす作業は重労働であり、腰や手の指に負担が係る作業となる。【０００４】そこで、例えば複数の穴が穿設されたシートを、育苗箱の底板上や苗床上に敷き、苗の根が地中に根をはることを極力抑える等の対策が施されている。しかし、昨今では農村の過疎化も進んでいるため、これらの対策が施されているとはいえ、地中に根の張った多くの育苗箱を苗床から剥がす作業を少人数で行うのは、一人当たりに掛かる負担も大きくなる。加えて、農業者の高齢化も進んでおり、育苗箱を苗床から剥がす作業の更なる容易化・軽減化が求められている。【０００５】これらの問題に対してこれまでも、様々な提案がされている（例えば特許文献１）。
【先行技術文献】
【特許文献】
【０００６】
【特許文献１】特開２００４−３３１７９号公報
【考案の概要】
【考案が解決しようとする課題】
【０００７】特許文献１によれば、前方へ曲がり、育苗箱の短辺以内の幅のコの字形の刃を形成する板状金具を、柄の下端に取り付け、柄と刃の取り付け角度を略９０度とし、金具の上縁辺に足掛片を設けて形成し、育苗箱の底面に刃を差し入れ、足掛片に片足を掛け、刃先を持ち上げて育苗箱を順次剥がす育苗箱の剥がし具が開示されている。【０００８】しかしながら、特許文献１の育苗箱の剥がし具では、柄と刃の取り付け角度が略９０度に固定されている。そのため、例えば苗の根が地中深くまではったため等の必要に応じて刃先を高く持ち上げて育苗箱を剥がす場合に、柄を地面近くまで手前に倒して育苗箱を剥がし、次の剥がし作業のために再び柄を立てる必要がある。このように、特許文献１の育苗箱の剥がし具によれば、柄を地面近くまで手前に倒し、再び立設させる作業は中腰状態を伴うため、剥がし作業の際に腰に負担が係る虞があるという問題があった。【０００９】また、特許文献１の育苗箱の剥がし具によれば、例えば育苗箱の手前側にのみ刃先がかかっていたのでは、育苗箱を持ち上げる高さが不十分となる虞がある。そのため、刃先を育苗箱の奥まで差し込む作業が生じることから、剥がし作業が煩雑になる虞があるという問題があった。【００１０】そこで、本考案は、上記従来の問題に鑑みてなされたものであり、その目的は、育苗箱を苗床から容易に剥がすことが可能で、育苗箱の剥がし作業時の体への負担を著しく軽減可能な育苗箱の剥がし装置を提供することにある。
【課題を解決するための手段】
【００１１】  請求項１の考案は、鍔部を備える側板を底板の周囲に立設させてなる育苗箱を、苗床から剥がす育苗箱の剥がし装置において、左右一対の縦材と、前記一対の縦材の下端側に設けられ、前記一対の縦材間を略水平方向に横架する横材と、前記横材の両端近傍にそれぞれ配置されるアーム部材であって、前記横材と略直交し、前記アーム部材の中途で前記横材に軸支されて上下方向に回動自在の回動アーム部材と、前記回動アーム部材間を横架する棒体であって、前記回動アーム部材の後端部に連結される横架棒体と、常時は前記回動アーム部材の先端部を前記縦材の略下端の高さに配置しつつ、前記先端部を下方に付勢する付勢手段と、前記先端部に連結されて前記鍔部に下方から係合させる係合部とを備え、前記一対の縦材を立設させつつ前記鍔部の下方に前記係合部を配置し、前記横架棒体を足で踏むことにより、前記係合部が前記鍔部を押し上げて前記育苗箱を苗床から剥がす、育苗箱の剥がし装置である。【００１２】請求項２の考案は、請求項１に記載の育苗箱の剥がし装置において、前記回動アーム部材は、前記先端部から前記後端部に向かう中途から下方に折曲する折曲部を含み、全体がクランク状に形成されることを特徴とする。【００１３】請求項３の考案は、請求項１又は２に記載の育苗箱の剥がし装置において、前記一対の縦材の上端間に横架され、手で把持可能な丸棒部材からなる把持部を備えることを特徴とする。【００１４】請求項４の考案は、請求項１〜３のいずれかに記載の育苗箱の剥がし装置において、前記係合部は、前記先端部から前方に延設される爪部材からなることを特徴とする。【００１５】請求項５の考案は、請求項４に記載の育苗箱の剥がし装置において、前記鍔部の縁が下方に折曲した形状からなり、前記爪部材は、前記縁に係合する凹部を含むことを特徴とする。【００１６】請求項６の考案は、請求項１〜３のいずれかに記載の育苗箱の剥がし装置において、前記鍔部の縁が下方に折曲した形状からなり、前記係合部は、前記先端部近傍に配置されて前記先端部に連結される板体であって、その板面を前記回動アーム部材の先端に向けた状態で上下方向に揺動自在の揺動板体と、常時は、前記揺動板体を前記先端部の下方に配置しつつ、前記揺動板体の先端部を下方に付勢する第２付勢手段とを含み、前記揺動板体を前記縁と前記側板の間に食い込ませつつ前記鍔部を押し上げることを特徴とする。
【考案の効果】
【００１７】本考案によれば、鍔部を備える側板を底板の周囲に立設させてなる育苗箱を、苗床から剥がす育苗箱の剥がし装置において、左右一対の縦材と、前記一対の縦材の下端側に設けられ、前記一対の縦材間を略水平方向に横架する横材と、前記横材の両端近傍にそれぞれ配置されるアーム部材であって、前記横材と略直交し、前記アーム部材の中途で前記横材に軸支されて上下方向に回動自在の回動アーム部材と、前記回動アーム部材間を横架する棒体であって、前記回動アーム部材の後端部に連結される横架棒体と、常時は前記回動アーム部材の先端部を前記縦材の略下端の高さに配置しつつ、前記先端部を下方に付勢する付勢手段と、前記先端部に連結されて前記鍔部に下方から係合させる係合部とを備え、前記一対の縦材を立設させつつ前記鍔部の下方に前記係合部を配置し、前記横架棒体を足で踏むことにより、前記係合部が前記鍔部を押し上げて前記育苗箱を苗床から剥がす構成であるから、立ったままの姿勢で例えば縦材の上端を左右の手でそれぞれ把持しつつ、係合部が鍔部の下側となる育苗箱の近傍位置に縦材を立設させ、片足を横架棒体に掛けて踏み降ろすことにより、回動アーム部材が回転して係合部が鍔部を押上げ、育苗箱を苗床から剥がすことができるので、育苗箱を苗床から容易に剥がすことが可能で、育苗箱の剥がし作業時の体への負担を著しく軽減可能な育苗箱の剥がし装置を提供できる。【００１８】また、前記回動アーム部材は、前記先端部から前記後端部に向かう中途から下方に折曲する折曲部を含み、全体がクランク状に形成される構成であるから、片足を前記横架棒体に掛ける際に余り高く足を上げる必要もなく、育苗箱の剥がし作業時の体への負担を更に軽減可能な育苗箱の剥がし装置を提供できる。【００１９】また、前記一対の縦材の上端間に横架され、手で把持可能な丸棒部材からなる把持部を備える構成であるから、把持部を手で把持することで縦材の立設保持をし易くなり、育苗箱の剥がし作業の容易化を更に図ることができる。【００２０】また、前記係合部は、前記先端部から前方に延設される爪部材からなる構成であるから、簡単な構成で安価に育苗箱の剥がし装置を実現でき、育苗箱の剥がし装置の低コスト化を図ることができる。【００２１】また、前記鍔部の縁が下方に折曲した形状からなり、前記爪部材は、前記縁に係合する凹部を含む構成であるから、凹部に鍔部の縁を係合させつつ鍔部を押し上げることで爪部材が鍔からずれにくく、確実に育苗箱を剥がすことができる。したがって、剥がし作業の効率向上や短縮化を図ることができる育苗箱の剥がし装置を提供できる。【００２２】また、前記鍔部の縁が下方に折曲した形状からなり、前記係合部は、前記先端部近傍に配置されて前記先端部に連結される板体であって、その板面を前記回動アーム部材の先端に向けた状態で上下方向に揺動自在の揺動板体と、常時は、前記揺動板体を前記先端部の下方に配置しつつ、前記揺動板体の先端部を下方に付勢する第２付勢手段とを含み、前記揺動板体を前記縁と前記側板の間に食い込ませつつ前記鍔部を押し上げる構成であるから、揺動板体を縁と側板の間に食い込ませつつ鍔部を押し上げるので、押し上げる際に係合部が鍔部から外れ難く、より効率的に育苗箱を剥がすことができる育苗箱の剥がし装置を提供できる。
【図面の簡単な説明】
【００２３】
【図１】本考案の第１実施形態に係る育苗箱の剥がし装置の例を説明する斜視図である。
【図２】本考案の第１実施形態に係る育苗箱の剥がし装置の使用例の側面説明図である。
【図３】本考案の第１実施形態に係る育苗箱の剥がし装置の他の例を説明する側面説明図である。
【図４】本考案の第２実施形態に係る育苗箱の剥がし装置の例を説明する斜視図である。
【図５】本考案の第２実施形態に係る育苗箱の剥がし装置の使用例の側面説明図である。
【考案を実施するための形態】
【００２４】以下、本考案の実施形態に係る育苗箱の剥がし装置ついて図を用いて説明する。先ず、本考案の第１実施形態に係る育苗箱の剥がし装置１０について図１〜図３を用いて説明する。本実施形態において、育苗箱１２は、図１及び図２に示すように、市販の育苗箱を用いることができる。なお、図１において、育苗箱１２はその一部を切り欠いて示され、また図２において、育苗箱１２は断面図で示される。
【００２５】育苗箱１２は、図１及び図２に示すように、底板１４と、側板１６と、鍔部１８とを含み、これらが一体で形成される。本実施形態の底板１４は、図１及び図２に示すように、例えば略３０ｃｍ×６０ｃｍの大きさの長方形状板部材に、複数の貫通孔２２を設けて形成される。また、側板１６は、例えば略３ｃｍの幅を有する板部材からなり、図１及び図２示すように底板１４の周囲に立設される。
【００２６】本実施形態の鍔部１８は、図２に示すように、その縁２０が下方に折曲する略横Ｌ字状に形成され、側板１６の上端に設けられて外方に突出する。そして、図２に示すように、縁２０の下端は底板１４よりもやや高くなっており、作業者は、例えば縁２０の下から指を差し込んで鍔部１８を持ちあげながら育苗箱１２を抱え挙げることができる。なお、鍔部の縁は、本実施形態のように下方に折曲した形状に限るものではなく、例えば側板１６の上端から略水平方向に突出する構成であってもよい。
【００２７】このように形成される育苗箱１２の中に培土（図示せず）が敷き詰められる。そして、この培土に種籾が撒かれた状態の育苗箱１２が、図１及び図２に示すように、苗床２８の上に載置されて苗２６が育成され、地中に根２７を張る。その際、上述した様に、複数の穴が穿設されたシートを、育苗箱１２の底板１４上に敷き、その上に培土を入れてもよいし、また複数の穴が穿設されたシートを苗床２８上に敷き、その上に育苗箱１２が載置されてもよい。
【００２８】次に、本実施形態の育苗箱の剥がし装置１０は、図１及び図２に示すように、左右一対の縦材３０，３０´と、横材３２と、回動アーム部材３４，３４´と、横架棒体３６と、付勢手段４０と、係合部としての爪部材４２，４２´と、把持部５４とを備える。本実施形態の縦材３０，３０´は、例えば人が起立した状態の足底から略肘の高さまでの長さと、手で把持できる程度の直径とを有する金属製の中空丸棒部材からなる。そして、これらの縦材３０，３０´は、図１に示すように、例えば略人体の幅で離隔して立設配置される。なお、縦材３０，３０´の間隔は、例えば人が立ったままの姿勢で縦材３０，３０´を手で保持できる任意の間隔としてもよい。
【００２９】次に、横材３２は、図１に示すように、例えば縦材３０，３０´と略同じ直径を有する金属製の中空丸棒部材からなる。そして、横材３２は、図１に示すように、縦材３０，３０´の下端近傍で、縦材３０，３０´間を略水平方向に横架する態様で配置され、その端が縦材３０，３０´にネジ３８で固設される。
【００３０】次に、回動アーム部材３４，３４´は、例えば縦材３０，３０´の略３分の１の長さで横材３２の直径の略１．５倍〜２倍の幅を有する金属製の短冊状板部材からなる。そして、回動アーム部材３４，３４´は、図１及び図２に示すように、その板面を縦材３０，３０´の長手方向と略平行にした状態で横材３２と略直交し、横材３２の両端近傍にそれぞれ配置される。その際、回動アーム部材３４，３４´は、図１及び図２に示すように、その中途部分を横材３２で貫通され、上下方向に回動自在に軸支される。なお、図２及び図３において、手前の部材と重なって見える奥側の部材の符号を省略しているが、対応するものは図１で参照できる。
【００３１】また回動アーム部材は、上述した短冊状板部材に限るものではなく、図３に示すように、側面視で全体がクランク状の回動アーム部材５２であってもよい。より詳しくは、回動アーム部材５２は、図３に示すように、先端部４７から後端部４５に向かう中途から下方に折曲する折曲部５０を含んだクランク状の金属製板部材で形成される。そして、図３に示すように、折曲部５０を横材３２で貫通され、上下方向に回動自在に軸支される。このような回動アーム部材５２の構成とすることにより、回動アーム部材３４の構成に比べ、横架棒体３６が低い位置となるため、後述するように片足を挙げて横架棒体３６を踏む際に、あまり足を高く上げる必要もなく、剥がし作業の軽減化を図ることができる。
【００３２】次に、横架棒体３６は、図１及び図２に示すように、例えば横材３２よりやや大きな直径を有する金属製の中空丸棒部材からなる。そして、横架棒体３６は、図１及び図２に示すように、回動アーム部材３４，３４´間を横架して配置され、その両端がそれぞれ後端部４４，４４´に、例えば溶接により接続される。なお、横架棒体は、本実施形態の丸棒部材に限るものではなく、例えば角棒部材、短冊状板部材であってもよい。
【００３３】次に、本実施形態の付勢手段４０は、図１及び図２に示すように、コイルバネ部材からなる。そして、コイルバネ部材は、図１及び図２に示すように、その一端が、一方の縦材３０´の横材３２よりやや上方側に係止され、他端が回動アーム部材３４´の横材３２よりやや後端側に係止され、後端部４４，４４´を常時上方に付勢する。その際、コイルバネ部材の無負荷状態における長さは、図２（ａ）に示すように、回動アーム部材３４，３４´の先端部４８，４８´を縦材３０，３０´の略下端の高さに配置する長さに設定される。すなわち、回動アーム部材３４，３４´の先端部４８，４８´は、付勢手段４０により縦材３０，３０´の略下端の高さに配置されつつ、常時下方に付勢される。
【００３４】付勢手段は、本実施形態の構成に限るものではなく、例えばコイルバネ部材の一端が縦材３０´の横材３２より下方位置に係止され、他端が回動アーム部材３４´の横材３２より先端側に係止される構成であってもよい。また、付勢手段４０は本実施形態の一つのコイルバネ部材に限るものではなく、コイルバネ部材を他方の縦材３０側にも縦材３０´側と同様に設けて、コイルバネ部材２つからなる構成であってもよい。また、付勢手段は、本実施形態のコイルバネ部材に限るものではなく、例えばゴム部材等の弾性体を用いてもよい。
【００３５】次に、本実施形態の係合部である爪部材４２，４２´は、図１及び図２に示すように、例えば育苗箱１２の側板１６から縁２０までの距離の略２〜３倍の長さの辺を有する略正方形状の金属製の板片を折曲して形成される。より詳しくは、爪部材４２，４２´は、図１及び図２に示すように、前記板片を一つの辺に略平行な折曲線に沿って折曲し、側面視略逆へ字状に形成される。この様に、爪部材４２，４２´は、略逆へ字状の凹部４６，４６´を含む。そして、爪部材４２，４２´は、図１及び図２に示すように、凹部４６，４６´を上方に向けた状態で回動アーム部材３４，３４´の先端部４８，４８´から前方に突出状に配置され、回動アーム部材３４，３４´の先端部４８，４８´に、例えば溶接により固設される。このように、爪部材４２，４２´は、先端部４８，４８´から前方に延設される構成となっているのである。
【００３６】なお、凹部の形状は、側面視逆へ字状に限らず、例えば、側面視略く字状、側面視略円弧状であってもよい。また、爪部材は、本実施形態の凹部を含む形状に限るものではなく、例えば平坦な形状であってもよい。
【００３７】次に、本実施形態の把持部５４は、手で把持可能な直径を有する金属製の丸棒部材からなる。そして、前記丸棒部材は、図１に示すように、一対の縦材３０，３０´の上端間を横架して配置され、その両端をそれぞれ前記上端に、例えば溶接により固設される。なお、把持部５４を設けない場合は、例えば縦材３０，３０´をやや長くして上端を手で把持し易くすると好ましい。
【００３８】ここで、本実施形態の育苗箱の剥がし装置１０の使用例について図２を用いて説明する。なお図２では、育苗箱１２が苗床から剥がれる様子を、図２（ａ）から図２（ｂ）の順で示している。まず、図２（ａ）に示すように、把持部５４を手で把持しつつ、育苗箱１２の近傍に縦材３０，３０´を立設させる。その際、図１及び図２に示すように、縦材３０，３０´の下端が苗床２８にめり込まないように平板６０を苗床上に載置しその上に縦材３０，３０´を立設させるとよい。そして、鍔部１８の下方、より詳しくは縁２０の下方に爪部材４２，４２´を挿入させる。
【００３９】次に、図２（ａ）に示すように、片足を挙げて横架棒体３６に載せ、図２（ｂ）に示すように横架棒体３６を踏み降ろす。そうすると、図２（ｂ）に示すように、横材３２を支点、横架棒体３６を力点、爪部材４２，４２´を作用点とする梃子の原理で、爪部材４２，４２´が鍔部１８を押し上げ、育苗箱１２が苗床２８から剥がれる。その際、図２に示すように、鍔部１８の縁２０が凹部４６，４６´に係合して、鍔部１８が爪部材４２，４２´の先端からはずれ難い。
【００４０】次に、本考案の第２実施形態に係る育苗箱の剥がし装置８０について図４及び図５を用いて説明する。第２実施形態における第１実施形態との主な相違点は、係合部が揺動可能な部材を備える点である。なお、図４及び図５において、第１実施形態と同様な部材には同じ符号を付し、以下その説明を省略する。また、図５において、手前の部材と重なって見える奥側の部材の符号を省略しているが、対応するものは図４で参照できる。
【００４１】本実施形態の育苗箱の剥がし装置８０は、図４及び図５に示すように、左右一対の縦材３０，３０´と、横材３２と、回動アーム部材６４，６４´と、横架棒体３６と、付勢手段４０と、係合部６６，６６´と、把持部５４とを備える。
【００４２】本実施形態の回動アーム部材６４，６４´は、例えば断面を略コ字状に形成した中空角棒状の部材からなり、図４に示すように、その開口（図示せず）側を下向きにした状態で長手方向を横材３２と略直交させ、横材３２の両端近傍にそれぞれ配置される。そして、回動アーム部材６４，６４´は、図４及び図５に示すように、その中途部分を横材３２で貫通され、上下方向に回動自在に軸支される。
【００４３】次に、本実施形態の係合部６６，６６´は、図４及び図５に示すように、ピン部材６８，６８´と、回動片７０，７０´，７３，７３´と、揺動板体７２，７２´と、第２付勢手段７６，７６´とを備える。ピン部材６８，６８´は、例えば回動アーム部材６４，６４´の略幅をやや超える長さと、その長さの略５分の１の直径を有する丸棒部材からなる。そして、ピン部材６８，６８´は、図４及び図５に示すように、回動アーム部材６４，６４´の長手方向に略直交するとともに、回動アーム部材６４，６４´の先端部６５，６５´を略水平方向に貫通しつつ、例えば溶接等で先端部６５，６５´に固設される。
【００４４】次に、回動片７０，７０´，７３，７３´は、図４及び図５に示すように、例えばピン部材６８，６８´の中心から回動アーム部材６４，６４´の先端までよりやや長い長さを有する板片で形成される。そして回動片７０，７０´は、図４及び図５に示すように、前記長さ方向の一端側を一方のピン部材６８に貫通されつつピン部材６８の両端部にそれぞれ連結し、上下方向に回動自在に軸支される。同様に、回動片７３，７３´は、図４に示すように、回動片７０，７０´と同様にしてピン部材６８´に回動自在に軸支される。
【００４５】次に、揺動板体７２，７２´は、例えば回動アーム部材６４，６４´のコ字状の各辺をそれぞれ２〜３倍程度に伸張させたサイズの長方形状の金属製平板部材からなる。そして、揺動板体７２，７２´は、図４及び図５に示すように、その板面を回動アーム部材６４，６４´の先端に向けた状態で、回動片７０，７０´及び回動片７３，７３´の他端に溶接等でそれぞれ固設される。従って、本実施形態の揺動板体７２，７２´は、図４及び図５に示すように、先端部６５，６５´の近傍に配置されて先端部６５，６５´に連結される板体であって、回動片７０，７０´，７３，７３´と一緒に上下方向に揺動自在の構成となっているのである。
【００４６】揺動板体７２，７２´と先端部６５，６５´との連結は、本実施形態の構成に限るものではなく、例えば蝶番部材を介して先端部６５，６５´に連結させてもよい。
【００４７】次に、第２付勢手段７６，７６´は、図５に示すように、例えばコイルバネ部材からなる。そして、コイルバネ部材は、図５に示すように、一端が回動アーム部材６４，６４´の先端側であってピン部材６８，６８´より後方に係止され、他端が揺動板体７２，７２´の後端に係止される。その際、当該コイルバネ部材の無負荷時の長さは、図５（ａ）に示すように回動アーム部材６４，６４´の先端部６５，６５´の下方に揺動板体７２，７２´を配置する長さに設定される。そして、揺動板体７２，７２´の先端部７８，７８´は、第２付勢手段７６，７６´により常時下方に付勢される。
【００４８】ここで、本実施形態の育苗箱の剥がし装置８０の使用例について図５を用いて説明する。なお図５では、図５（ａ）から図５（ｂ）の順で育苗箱１２が苗床から剥がれる様子を示している。
【００４９】まず第１実施形態と同様にして育苗箱の剥がし装置８０を立設させる。その際、図５（ａ）に示すように、鍔部１８の縁２０の下方に揺動板体７２，７２´の先端部７８，７８´が位置するように立設させる。
【００５０】次に、第１実施形態と同様に片足を挙げて横架棒体３６に載せ、横架棒体３６を踏み降ろす。そうすると、図５（ｂ）に示すように、係合部６６，６６´が鍔部１８を押し上げる。その際、揺動板体７２，７２´の先端部７８，７８´が、例えば縁２０の形状や縁２０と側板１６の間隔等に応じて揺動しつつ縁２０と側板１６の間に食い込む。したがって、鍔部１８を押し上げる際に係合部６６，６６´が鍔部１８から外れ難く、確実に係合部６６，６６´を介して育苗箱１２を剥がすことができる育苗箱の剥がし装置を提供できる。
【００５１】これまで説明してきた様に、本実施形態の育苗箱の剥がし装置１０，８０によれば、立ったままの姿勢で把持部５４を把持しつつ片足を挙げて横架棒体３６を踏み降ろすという簡単な動作で育苗箱１２を苗床２８から容易に剥がすことが可能で、育苗箱１２の剥がし作業時の体への負担を著しく軽減可能な育苗箱の剥がし装置を提供することができる。
【００５２】以上、本考案の実施形態のうちいくつかを図面に基づいて詳細に説明したが、これらはあくまでも例示であり、当業者の知識に基づいて種々の変形、改良を施した他の形態で本考案を実施することが可能である。
【符号の説明】
【００５３】  １０，８０  育苗箱の剥がし装置１２  育苗箱１８  鍔部３０，３０´  一対の縦材３２  横材３４，３４´，５２，６４，６４´  回動アーム部材３６  横架棒体４０  付勢手段４２，４２´  爪部材（係合部）４６，４６´  凹部５０  折曲部５４  把持部６６，６６´  係合部７２，７２´  揺動板体７６，７６´  第２付勢手段 
【図１】
0003170963.tif 000003
【図２】
0003170963.tif 000004
【図３】
0003170963.tif 000005
【図４】
0003170963.tif 000006
【図５】
0003170963.tif 000007